(57)【要約】【課題】  蓋体が容器本体の上面に垂直に配置したヒンジ部材を中心に水平方向に廻動するようにすること、および、ヒンジ部材に回転位置を設定可能としたヒンジユニットを配設することにより、従来の蓋係止機構とばね部材を使用しないで、ヒンジユニットで蓋の閉蓋状態を維持して、開蓋時には、一定の角度まで廻動させたときに自動的に廻動し、所定の位置で停止するようにすることにより、片手で簡単に開蓋できるようにしたコンパクト容器を提供すること。【解決手段】  容器本体と、容器本体にヒンジ部材を介して取着される蓋体とからなるコンパクト容器であって、蓋体が、容器本体の上面に垂直に配置したヒンジ部材を中心に廻動するようにしたことを特徴とする。【選択図】    図１
2006014893.tif 000002
【特許請求の範囲】
【請求項１】
容器本体と、容器本体にヒンジ部材を介して取着される蓋体とからなるコンパクト容器であって、
蓋体が、容器本体の上面に垂直に配置したヒンジ部材を中心に廻動するようにしたことを特徴とするコンパクト容器。
【請求項２】
ヒンジ部材は、回転位置を設定可能としたヒンジユニットを具備し、
開蓋操作時、閉蓋操作時には、一定の角度まで廻動させたときに、ヒンジユニットの回転力により、蓋体を自動的に廻動させて所定の位置で停止させ、開蓋状態、閉蓋状態を維持するようにしたことを特徴とする請求項１記載のコンパクト容器。
【請求項３】
ヒンジ部材は、回転位置を設定可能としたヒンジユニットと、容器本体と、蓋体とを結合するとともに、ヒンジユニットの軸体に取着される締着部材とからなっていることを特徴とする請求項１、２記載のコンパクト容器。
【発明の詳細な説明】
【技術分野】
【０００１】
本発明はコンパクト容器、とくに蓋体が、容器本体の上面に垂直に配置したヒンジ部材の軸を中心に廻動するようにしたコンパクト容器に関するものである。
【背景技術】
【０００２】
コンパクト容器として、容器本体と蓋体を、容器本体後端部に水平方向に配設したヒンジ軸を介して取着し、蓋体を容器本体に対して上下方向に開閉する構造であって、容器の前端部に蓋係止機構を配設したコンパクト容器は従来より周知である。
また、片手で簡単に開蓋するために、蓋体と容器本体の取着部に、ばね部材を取着することにより、開蓋時には、蓋係止機構を外すことで、ばね部材のばねの弾撥力により自動的に開蓋し、開蓋状態を維持するようにしたコンパクト容器も従来より知られている（特許文献１参照）。
【特許文献１】特開平１１−２０６４４１号公報
【発明の開示】
【発明が解決しようとする課題】
【０００３】
しかしながら、上記特許文献１記載のものは、蓋係止機構、およびばね部材を取着する構造自体が複雑であるので組立が簡単にできず、生産コストが高くなるという問題があった。
【０００４】
本発明は、上記の問題点を解決することを課題として、第１には、蓋体が容器本体の上面に垂直に配置したヒンジ部材を中心に水平方向に廻動するようにすること、第２には、ヒンジ部材に回転位置を設定可能としたヒンジユニットを配設することにより、従来の蓋係止機構とばね部材を使用しないで、ヒンジユニットで蓋の閉蓋状態を維持して、開蓋時には、一定の角度まで廻動させたときに自動的に廻動し、所定の位置で停止するようにすることにより、片手で簡単に開蓋できるようにしたコンパクト容器を提供することを目的とする。
【課題を解決するための手段】
【０００５】
本発明は、上記の課題を解決するため、コンパクト容器として、容器本体と、容器本体にヒンジ部材を介して取着される蓋体とからなるコンパクト容器であって、蓋体が、容器本体の上面に垂直に配置したヒンジ部材を中心に廻動するようにしたことを特徴とする構成を採用する。
【０００６】
ヒンジ部材の機能的形態として、ヒンジ部材は、回転位置を設定可能としたヒンジユニットを具備し、開蓋操作時、閉蓋操作時には、一定の角度まで廻動させたときに、ヒンジユニットの回転力により、蓋体を自動的に廻動させて所定の位置で停止させ、開蓋状態、閉蓋状態を維持するようにしたことを特徴とする構成を採用する。
【０００７】
ヒンジ部材の実施形態として、ヒンジ部材は、回転位置を設定可能としたヒンジユニットと、容器本体と、蓋体とを結合するとともに、ヒンジユニットの軸体に取着される締着部材とからなっていることを特徴とする構成を採用する。
【発明の効果】
【０００８】
蓋体が、容器本体の上面に垂直に配置したヒンジ部材を中心に廻動するようにしたことにより、開蓋時に、蓋体を横方向に容器本体からずらすように押すことで、片手で簡単に開蓋できるようになった。
また、ヒンジ部材に、回転位置を設定可能としたヒンジユニットを配設したことにより、開蓋操作時、閉蓋操作時には、一定の角度まで廻動させた後に、ヒンジユニットの回転力で自動的に蓋体が所定の位置まで廻動し、その位置で開蓋状態、閉蓋状態を維持できるようになった。
【発明を実施するための最良の形態】
【０００９】
次に、本発明のコンパクト容器の実施形態について説明する。
図１において、Ａは容器本体、Ｂは容器本体Ａに締着部材Ｃと回転位置を設定可能としたヒンジユニットＤを介して取着された蓋体である。
【００１０】
図１〜３に示すように、容器本体Ａは、底面に段を設けた底壁１と、底壁１に立設された側周壁２とからなり、側周壁２の前壁２ａと後壁２ｂの中央付近には、切欠部３を設けた中壁４が設けられ、容器内部を区分している。
容器本体Ａ内部の前壁２ａ側には化粧皿５が収納され、後壁２ｂ側にはパフ６が収納されるようになっている。
側周壁２の上端には、外周縁部を残して段部７が設けられ、該段部７には中板８が載置されている。
【００１１】
前壁２ａの上端中央には凹部９が凹設され、後壁２ｂの所定の位置には、ヒンジ取付孔１０がほぼ底壁１まで達するように穿設されている。
中壁４の前壁２ａ側には、化粧皿５を取着するための係止片１１が所定の位置に突設されている。
【００１２】
ヒンジ取付孔１０は、孔内周面１５と、底壁１、孔中央部に底壁１から立設された嵌合筒１６とによって形成され、嵌合筒１６内周の所定の位置には、内周が、円の上下を平行する直線で切り欠いた形状になるように嵌合片１７が設けられている。
【００１３】
図２、４に示すように、中板８の内方には、所定の位置に、化粧皿部２０と、パフ６を覆うように鏡取付板２１が蝶着される鏡受部２２とが設けられ、後壁２ｂ側には、容器本体Ａのヒンジ取付孔１０の孔内周面１５より縮径された締着部材Ｃを嵌入するための嵌挿部２３が設けられている。
【００１４】
中板８の前壁２ａ側には、所定の位置に、化粧皿５を取着するための係止部を設けた係止片２５が突設され、化粧皿部２０の側端部内方には、化粧皿５を係止する係止板２６が垂設されており、中壁４に設けられた係止片１１とともに化粧皿５を係止するようになっている。
中板８の化粧皿部２０と鏡受部２２の中間部には、中壁４の切欠部３に対応する係合部２７が垂設されている。
【００１５】
鏡受部２２は、側部の片方を切欠部３０により切り欠かれ、切欠部３０内方の端面には、所定の位置に突部３１が突設されている。
鏡受部２２の周縁内側には、受段部３２が設けられ、受段部３２の化粧皿部２０側には、係止部３３が設けられている。
【００１６】
図２、５に示すように、鏡取付板２１は鏡枠を立設し、その内方に鏡ｍが取着される取付板３５と該取付板３５の側部に、鏡受部２２の切欠部３０に対応する連結片３６が設けられている。
連結片３６の側端面には、切欠部３０に突設された突部３１に係合する凹部３７が凹設され、鏡取付板２１は鏡受部２２に廻動自在に取付けられている。
【００１７】
図６に示すように、蓋体Ｂは、外蓋４０と中板４１とからなっている。
外蓋４０は、頂壁４２と頂壁４２に垂設された側周壁４３からなり、 側周壁４３の前壁４３ａの中央には、容器本体Ａの前壁２ａに凹設された凹部９に対応する突部４４が突設されている。
外蓋４０の頂壁４２の後壁４３ｂ側には、頂壁４２より上面に突出した膨出部が設けられ、締着部材Ｃを取着するための締着部材受部４５が設けられている。
【００１８】
中板４１は、外蓋４０に載置され、後壁４３ｂ側には、締着部材Ｃを嵌入するための嵌入口４６が穿設されている。
【００１９】
図７に示すように、締着部材Ｃは、頂壁５０と頂壁５０周端部から垂設された筒部５１とからなっている。
筒部５１外周の頂壁５０側にはフランジ５２が設けられ、開口側には、容器本体Ａの中板８に設けられた嵌挿部２３に嵌着される縮径部を具えた係止部５３が設けられている。
筒部５１内部の頂壁５０側には、円の上下を平行する直線で切り欠いた形状のヒンジユニットＤの軸受部５４が設けられている。
【００２０】
図８に示すように、ヒンジユニットＤは、ハウジング６０とガイドピン６１、スプリング６２とカム６３、およびシャフト６４とからなっている。
ハウジング６０は、円の上下を平行する直線で切り欠いた形状の筒状体であり、周壁６５と、一端側の開口６６と他端側の中央にガイド孔６７を穿設した後壁６８とを具えている。
【００２１】
ガイドピン６１は、ハウジング６０のガイド孔６７に挿入されるガイド棒７０と、該ガイド棒７０の先端に形成された鉤部７１と、後端に形成された後壁６８に係止される拡径された係止部７２とから構成されている。
スプリング６２は、ハウジング６０の周壁６５内周に挿入され、内側にはガイド棒７０が貫通し、両端はほぼ水平面上に位置するように形成されている。
【００２２】
カム６３は、ハウジング６０の周壁６５内周に嵌挿されたベース部７５と、カム形状部７６とからなり、カム６３は、ハウジング６０に回転不能、上下摺動自在として支持されている。
カム形状部７６は、山部７６ａと谷部７６ｂとを結ぶ面で連続するように一体に形成されており、中央部には、ガイド棒７０が貫通する孔７７が穿設されている。
【００２３】
シャフト６４は、カム６３に対向する側にカム形状部７６に対向する山部８０ａと谷部８０ｂとを結ぶ面で連続している形状のカム形状部８０と、その反対側にカム形状部８０より拡径され、円の上下を平行する直線で切り欠いた形状のシャフト部８１とから形成されており、カム形状部８０の中央部には、ガイド棒７０が挿入されるガイド孔８２が穿設され、シャフト部８１の内周にはガイド棒７０の先端の鉤部７１に係合する係止部８３が設けられている。
【００２４】
次にヒンジユニットＤの作用について説明する。
カム６３のカム形状部７６と、シャフト６４のカム形状部８０のカム面は、図８（ｃ）、（ｄ）に示されているが、図９には、その展開図が示されている。
ヒンジユニットＤの安定時には、図９（ａ）に示すように、スプリング６２の弾撥力により、回転自在なシャフト６４のカム形状部８０の山部８０ａと、回転不能のカム６３のカム形状部７６の谷部７６ｂが係合し、双方のカム面は押圧されて接合している。
【００２５】
図９（ｂ）に示すように、矢印Ａの方向にシャフト６４を廻動すると、シャフト６４のカム形状部８０のカム面は、スプリング６２の弾撥力に抗してカム６３のカム形状部７６を押し下げる。
シャフト６４の廻動が、カム６３の山部７６ａと谷部７６ｂとの間の回転角度αより少ないときには、シャフト６４の廻動させる力をなくすと、スプリング６２の弾撥力によりカム６３が上昇し、シャフト６４のカム面を押圧することにより矢印Ｂの方向にシャフト６４を戻す力が発生し、図９（ａ）に示す元の安定した位置に戻り、安定状態を維持する。
【００２６】
図９（ｃ）に示すように、シャフト６４の廻動が回転角度αを越えると、図９（ｄ）に示すように、カム形状部８０の山部８０ａがカム６３のカム形状部７６の山部７６ａを乗り越え、スプリング６２の弾撥力によってカム６３が上昇し、シャフト６４のカム面を押圧することにより矢印Ａの方向にシャフト６４を廻動させる回転力が発生し、図９（ａ）に示す元の安定した位置よりシャフト６４を１８０°回転させた位置まで回転させて停止させ、その位置を安定状態として維持する。
【００２７】
次に、本実施形態のコンパクト容器の組み立てと、作用効果について説明する。
コンパクト容器の組み立てにあたっては、まず、容器本体Ａの中板８の鏡受部２２の切欠部３０に、鏡取付板２１の連結片３６を、それぞれの突部３１と凹部３７を係合させて蝶着する。
このことにより、鏡取付板２１は、中板８上で連結片３６を、突部３１と凹部３７を支点に開閉廻動させることができる。
閉蓋時には、鏡受部２２の受段部３２に、鏡取付板２１の取付板３５外周端部が載置され、受段部３２に設けた係止部３３により係止される。
【００２８】
容器本体Ａの段部７に、鏡取付板２１を蝶着した中板８の周縁を挿嵌させ、段部７上に中板８の裏面を所定の位置で接着する。
化粧皿５を、中板８の化粧皿部２０の上方より収納し、容器本体Ａの内方に係合させる。
【００２９】
次に、蓋体Ｂの外蓋４０の締着部材Ｃの締着部材受部４５に、締着部材Ｃの頂壁５０を所定の位置で衝合して接着する。
蓋体Ｂの中板４１の嵌入口４６に、締着部材Ｃの筒部５１を開口側より嵌入させ、中板４１周縁を、外蓋４０の側周壁４３内周に挿嵌させ、頂壁４２裏面に接着する。  
このことにより、図６に示すように、蓋体Ｂと締着部材Ｃは一体化される。
【００３０】
次に、ヒンジユニットＤのハウジング６０の周壁６５を、後壁６８側より容器本体Ａの後壁２ｂに穿設されたヒンジ取付孔１０の嵌合筒１６に嵌挿する。
次いで、締着部材Ｃの筒部５１を、容器本体Ａの中板８の嵌挿部２３に嵌入し、筒部５１の係止部５３を中板８の嵌挿部２３端部に係合させ、締着部材Ｃの軸受孔５４にヒンジユニットＤのシャフト部８１を嵌挿する。
このことにより、蓋体Ｂは容器本体Ａに、それぞれの側周壁２、４３の端縁部、中板８と中板４１の嵌入口４６付近が当接されるとともに、締着部材ＣとヒンジユニットＤを介して廻動自在に取着される。
【００３１】
次に、コンパクト容器の使用時の作用効果について説明する。
閉蓋時には、ヒンジユニットＤの安定した回転位置が閉蓋の位置にあるので、蓋体Ｂを一定の回転角度αまで廻動させても安定した回転位置に戻るようヒンジユニットＤの回転力が掛かることとなり、常に閉蓋状態を維持している。
さらにまた、蓋体Ｂの前壁４３ａに突設した突部４４と、容器本体Ａの前壁２ａに凹設した凹部９が係合して閉蓋状態が維持される。
【００３２】
開蓋時には、蓋体Ｂを指で所定の方向に回転させると、蓋体Ｂに突設した突部４４と、容器本体Ａに凹設した凹部９の係合が外れ、さらに回転させ、ヒンジユニットＤのシャフト６４の山部８０ａがカム６３の山部７６ａを越えると、次の安定した回転位置にまで自動的に回転し、その回転位置を維持しようとする力が働き、開蓋状態を維持することとなる。
【００３３】
蓋体Ｂを開いた後に、鏡取付板２１を連結片３６を軸に上方に回転させ開蓋し、容器の中からパフ６を取り出した後、鏡取付板２１を連結片３６の支点を軸に下方に回転させ閉蓋する。
このことにより、鏡取付板２１に取り付けた鏡ｍを見ながら、パフ６に化粧皿５の内容物を付着させ、使用することができる。
【００３４】
前記実施形態では、ヒンジユニットの安定した回転位置から、次の安定した回転位置までの間隔を１８０°としたが、シャフトとカムのカム形状部の形状を変えれば任意の角度で間隔を変えることが可能であり、また、回転角度α、山部と谷部との高低差等についても適宜設定できる。
カム形状部の形状などは、実施形態に限定されない。
【００３５】
また、ヒンジユニットの構成については、前記実施形態のものに限定されることなく、公知の各種のヒンジユニットが利用できる。
【００３６】
前記実施形態では、容器本体と蓋体の前壁側に凹凸の係止部を設けたが、ヒンジユニットの回転力だけで閉蓋状態を維持することが可能であり、設けなくともよい。
容器本体と蓋体の前壁側の係止部の有無や形状などは、実施形態に限定されない。
【００３７】
本発明は、容器本体に、蓋体を横回転の軸となる締着部材と軸の廻動を制御するヒンジユニットを介して取着し、蓋体を横回転させ蓋の開閉ができればよいので、容器本体と蓋体の外観上の形状や容器本体内部のレイアウトなどは、実施形態に限定されない。
【産業上の利用可能性】
【００３８】
本発明のコンパクト容器は、回転位置を設定可能としたヒンジユニットにより、開蓋時には、蓋体を所定の方向に容器本体からずらすように押すことで、片手で簡単に開蓋させることができ、閉蓋時には、蓋の閉蓋状態を維持でき、構造的にも簡単なものであるので、コンパクトばかりではなく、一般の容器にも幅広く利用することができる。
【図面の簡単な説明】
【００３９】
【図１】本発明コンパクト容器の開蓋状態の説明図で、（ａ）は平面図、（ｂ）は断面側面図である。
【図２】容器本体の組み立て後の説明図で、（ａ）は平面図、（ｂ）は断面側面図、（ｃ）は図（ａ）のＡ−Ａ線における断面正面図である。
【図３】容器本体の説明図で、（ａ）は平面図、（ｂ）は断面側面図である。
【図４】容器本体の中板の説明図で、（ａ）は平面図、（ｂ）は断面側面図である。
【図５】容器本体の鏡取付板の説明図で、（ａ）は平面図、（ｂ）は側面図である。
【図６】蓋体の説明図で、（ａ）は裏面図、（ｂ）は断面側面図である。
【図７】締着部材の説明図で、（ａ）は一部断面側面図、（ｂ）は裏面図である。
【図８】ヒンジユニットの説明図で、（ａ）は上面図、（ｂ）は一部断面側面図、（ｃ）はカムの上面図、（ｄ）はシャフト裏面図である。
【図９】ヒンジユニットのカムとシャフトの展開説明図で、（ａ）はヒンジユニットの安定した回転位置を示す図、（ｂ）はシャフトを回転角度α内で廻動させた状態、（ｃ）はシャフトとカムに設けたカム形状部の山部と山部が当接した状態、（ｄ）はシャフトを回転角度α以上廻動させた状態を示す図である。
【符号の説明】
【００４０】
Ａ          容器本体
Ｂ          蓋体
Ｃ          締着部材
Ｄ          ヒンジユニット
ｍ          鏡
１          底壁
２          側周壁
２ａ        前壁
２ｂ        後壁
８          中板
１０        ヒンジ取付孔
１５        孔内周面
１６        嵌合筒
１７        嵌合片
４０        外蓋
４１        中板
４２        頂壁
４３        側周壁
４３ａ      前壁
４３ｂ      後壁
４５        締着部材受部
４６        嵌入口
５０        頂壁
５１        筒部
５４        軸受部
６０        ハウジング
６１        ガイドピン
６２        スプリング
６３        カム
６４        シャフト
７５        ベース部
７６、８０  カム形状部
７６ａ、８０ａ    山部
７６ｂ、８０ｂ    谷部
７７        孔
８１        シャフト部
８２        ガイド孔
８３        係止部
【図１】
2006014893.tif 000003
【図２】
2006014893.tif 000004
【図３】
2006014893.tif 000005
【図４】
2006014893.tif 000006
【図５】
2006014893.tif 000007
【図６】
2006014893.tif 000008
【図７】
2006014893.tif 000009
【図８】
2006014893.tif 000010
【図９】
2006014893.tif 000011